(57)【要約】【課題】本発明は、筒状ケースをアルミダイキャストとし、レゾルバの絶縁カバーに一体に成形された係止体をこの筒状ケースの係止孔内に貫通させた後、この係止体の先端を超音波溶融カシメすることにより、レゾルバと筒状ケースを簡単・確実に固定することを目的とする。【解決手段】本発明によるレゾルバと筒状ケースとの固定構造は、レゾルバ(33)の輪状絶縁カバー(10)の係止体(20)を筒状ケース(4)の係止孔(21)内に貫通させ、その先端部(20a)を超音波(31)による超音波溶融カシメで変形させることにより、輪状ステータ(1)を筒状ケース(4)に固定させる構成である。【選択図】図１
2010190598.tif 000002
【特許請求の範囲】
【請求項１】
ロータ(1A)を内設する輪状ステータ(1)の内周面(1a)から所定角度間隔で内方に突出する複数の突出磁極(2)と、前記輪状ステータ(1)の両端面(1c,1d)に別体又は一体で設けられた輪状絶縁カバー(10,11)と、前記各突出磁極(2)に前記輪状絶縁カバー(10,11)を介して巻回されたステータ巻線(3)と、前記輪状絶縁カバー(10)の周縁に一体形成され前記輪状ステータ(1)の外側で軸方向(C)に沿って延設された複数の係止体(20)と、前記輪状ステータ(1)の外周側に配設されアルミダイキャスト加工により成形された筒状ケース(4)と、前記筒状ケース(4)の周縁に前記軸方向(C)に沿って形成された複数の係止孔(21)と、よりなり、
前記各係止体(20)は前記各係止孔(21)を貫通して挿入され、前記係止体(20)の先端部(20a)は前記係止孔(21)の外側で超音波溶融カシメにより前記筒状ケース(4)に固定され、前記輪状ステータ(1)が筒状ケース(4)に固定されていることを特徴とするレゾルバと筒状ケースとの固定構造。
【請求項２】
前記係止孔(21)の出口側には、凹部(22)が形成され、前記凹部(22)内に前記先端部(20a)が位置していることを特徴とする請求項１記載のレゾルバと筒状ケースとの固定構造。
【請求項３】
前記筒状ケース(4)の軸方向(C)に沿って延設された複数の取付用突起(32)が設けられていることを特徴とする請求項１又は２記載のレゾルバと筒状ケースとの固定構造。
【発明の詳細な説明】
【技術分野】
【０００１】
本発明は、レゾルバと筒状ケースとの固定構造に関し、特に、筒状ケースをアルミダイキャストとし、レゾルバの絶縁カバーに一体に成形された係止体をこの筒状ケースの係止孔内に貫通させた後、この係止体の先端を超短波溶融カシメすることにより、レゾルバと筒状ケースとを簡単でかつ確実に固定するための新規な改良に関する。
【背景技術】
【０００２】
従来、用いられていたこの種のレゾルバと筒状ステータの固定構造としては、例えば、後述の特許文献１に示されているように、輪状ステータの外周面は凹凸のない円周状に形成されている。
そのため、レゾルバの輪状ステータと筒状ケースとの固定構造は、図５に示される構成が採用されていた。
【０００３】
すなわち、図５において符号１で示されるものは輪状ステータであり、この輪状ステータ１の内周面１ａからは所定角度間隔で内方へ向けて突出する複数の突出磁極２が形成され、前記各突出磁極２には輪状絶縁カバー１０，１１を介してステータ巻線３が巻回されている。
【０００４】
前記輪状ステータ１の外周面１ｂには筒状ケース４が嵌合されており、この筒状ケース４の内周面４ａは前記外周面１ｂに嵌合することにより、レゾルバの輪状ステータ１は筒状ケース４と一体状となり、この筒状ケース４を車輌等の所定位置に取付けることによって、レゾルバを所定位置に固定することができる。
【先行技術文献】
【特許文献】
【０００５】
【特許文献１】米国特許第６，０２８，３８３号明細書
【発明の概要】
【発明が解決しようとする課題】
【０００６】
従来のレゾルバと筒状ケースとの固定構造は、以上のように構成されていたため、次のような課題が存在していた。
すなわち、輪状ステータは鉄で形成され、筒状ケースはアルミニウムの切削加工で形成されていたため、両者は互いに線膨張係数が異なり、熱圧入による固定は極めて困難であった。
また、この筒状ケースにアルミダイキャストを用いると、伸び性が殆んどなく、生産が非常に容易となるカシメによる固定は極めて困難であった。
【課題を解決するための手段】
【０００７】
本発明によるレゾルバと筒状ケースとの固定構造は、ロータを内設する輪状ステータの内周面から所定角度間隔で内方に突出する複数の突出磁極と、前記輪状ステータの両端面に別体又は一体で設けられた輪状絶縁カバーと、前記各突出磁極に前記輪状絶縁カバーを介して巻回されたステータ巻線と、前記輪状絶縁カバーの周縁に一体形成され前記輪状ステータの外側で軸方向に沿って延設された複数の係止体と、前記輪状ステータの外周側に配設されアルミダイキャスト加工により成形された筒状ケースと、前記筒状ケースの周縁に前記軸方向に沿って形成された複数の係止孔と、よりなり、
前記各係止体は前記各係止孔を貫通して挿入され、前記係止体の先端部は前記係止孔の外側で超音波溶融カシメにより前記筒状ケースに固定され、前記輪状ステータが筒状ケースに固定されている構成であり、また、前記係止孔の出口側には、凹部が形成され、前記凹部内に前記先端部が位置している構成であり、また、前記筒状ケースの軸方向に沿って延設された複数の取付用突起が設けられている構成である。
【発明の効果】
【０００８】
本発明によるレゾルバと筒状ケースとの固定構造は、以上のように構成されているため、次のような効果を得ることができる。
すなわち、ロータを内設する輪状ステータの内周面から所定角度間隔で内方に突出する複数の突出磁極と、前記輪状ステータの両端面に別体又は一体で設けられた輪状絶縁カバーと、前記各突出磁極に前記輪状絶縁カバーを介して巻回されたステータ巻線と、前記輪状絶縁カバーの周縁に一体形成され前記輪状ステータの外側で軸方向に沿って延設された複数の係止体と、前記輪状ステータの外周側に配設されアルミダイキャスト加工により成形された筒状ケースと、前記筒状ケースの周縁に前記軸方向に沿って形成された複数の係止孔と、よりなり、
前記各係止体は前記各係止孔を貫通して挿入され、前記係止体の先端部は前記係止孔の外側で超音波溶融カシメにより前記筒状ケースに固定され、前記輪状ステータが筒状ケースに固定されていることにより、レゾルバと筒状ケースとの回転止め及びスラスト方向への抜け止めができ、強固な固定ができ、車載等の厳しい環境下でも回転方向及び引き抜き方向に対してレゾルバの固定・保持が可能となる。
また、前記係止孔の出口側には、凹部が形成され、前記凹部内に前記先端部が位置していることにより、超音波溶融カシメにより変形した先端部を前記凹部内に収容することができる。
また、前記筒状ケースの軸方向に沿って延設された複数の取付用突起が設けられていることにより、車輌等への取付固定が極めて容易となる。
【図面の簡単な説明】
【０００９】
【図１】本発明によるレゾルバと筒状ケースとの固定構造を示す平面図である。
【図２】図１のＡ−Ａ断面図である。
【図３】図２のＢ部分を示す拡大図である。
【図４】図３の超音波溶融カシメを示す工程説明図である。
【図５】従来構成を示す平面図である。
【発明を実施するための形態】
【００１０】
本発明は、筒状ケースをアルミダイキャストとし、レゾルバの絶縁カバーに一体に形成された係止体をこの筒状ケースの係止孔内に貫通させた後、この係止体の先端を超音波溶融カシメすることにより、レゾルバと筒状ケースとを簡単でかつ確実に固定するようにしたレゾルバと筒状ケースとの固定構造を提供することを目的とする。
【実施例】
【００１１】
以下、図面と共に本発明によるレゾルバと筒状ケースとの固定構造の好適な実施の形態について説明する。
尚、従来例と同一又は同等部分については、同一符号を用いて説明する。
図１において、符号１で示されるものは鉄で形成されロータ１Ａが内設可能な輪状ステータであり、この輪状ステータ１の内周面１ａには所定の角度間隔で複数の突出磁極２が内方へ向けて突出して形成されている。
【００１２】
前記輪状ステータ１の両端面１ｃ，１ｄには、輪状をなすと共に前記各突出磁極２を覆う形状をなす突片１０ａ，１１ａを有する一対の輪状絶縁カバー１０，１１が設けられ、この各輪状絶縁カバー１０，１１は、予め、成形された一対の別体構成、又は、インサート射出成形により一体成形された構成の何れかが採用されている。
【００１３】
前記各突出磁極２には、前記各輪状絶縁カバー１０，１１すなわち各突片１０ａ，１１ａを介してステータ巻線３が巻回されており、この巻回後のステータ巻線３は、前記輪状絶縁カバー１０，１１の何れかの一端に一体に設けられた図示しない端子ピン保持部の端子ピンにからげて接続されている。
【００１４】
前記各輪状絶縁カバー１０，１１の何れか一方の周縁に一体成形され前記輪状ステータ１の外側で軸方向に沿って延設された複数の係止体２０が配設され、この各係止体２０は、図１及び図２で明らかなように、前記輪状絶縁カバー１０の外縁から一体に半径方向に沿って延設された複数の延設部２３を介して一体に形成されている。
【００１５】
前記各係止体２０は、輪状ステータ１の軸方向Ｃに沿って長手棒状に形成され、前記輪状ステータ１の外周面１ｂには、アルミダイキャストで形成された筒状ケース４が嵌合されている。
【００１６】
前記筒状ケース４の外縁には、前記各係止体２０の形成位置に対応して複数の係止孔２１が形成され、前記筒状ケース１に対して輪状ステータ１を嵌入させると、前記輪状絶縁カバー１０に形成された前記各係止体２０が前記係止孔２１に内挿されて貫通し、この係止体２０の先端部２０ａが前記筒状ケース４の係止孔２１の出口側に形成された凹部２２内に位置している。
【００１７】
前記凹部２２内に突出して位置する先端部２０ａは、図４で示されるように、ホーン３０に対向してこのホーン３０の下方に配設され、前記ホーン３０又は外部からの超音波３１を前記先端部２０ａに照射しつつ下方へ降下させる。
【００１８】
前記先端部２０ａは、超音波３１の照射により、加熱されて溶融され、この状態でホーン３０の下面の凹形部３０ａが先端部２０ａを押圧するため、この先端部２０ａは、この凹形部３０ａの形状にならって変形され超音波３１による超音波溶融カシメが達成される。
【００１９】
前記先端部２０ａのカシメが完了した時点で前記ホーン３０を上方へ移動させることにより、前記先端部２０ａは前記凹形部３０ａの形状にならって形状が成形され、輪状絶縁カバー１０の係止体２０を介して筒状ケース４に対する輪状ステータ１の固定を完了することができる。
【００２０】
前記筒状ケース４の端部には、その軸方向Ｃに沿って延設された複数の取付用突起３２が設けられており、各取付用突起３２を介して、図１及び図２のレゾルバ３３を車輌等の機器に取付けることができる。
【産業上の利用可能性】
【００２１】
本発明は、レゾルバと筒状ケースの固定構造に限ることなく、例えば、モータ又は他の回転機器の取付にも適用できるものである。
【符号の説明】
【００２２】
１    輪状ステータ
１Ａ    ロータ
１ａ    内周面
１ｂ    外周面
１ｃ，１ｄ    第１、第２端面
２    突出磁極
３    ステータ巻線
４    筒状ケース
１０，１１    輪状絶縁カバー
１０ａ，１１ａ    突片
２０    係止体
２０ａ    先端部
２１    係止孔
２２    凹部
２３    延設部
３０    ホーン
３０ａ    凹形部
３１    超音波
３２    取付用突起
３３    レゾルバ
【図１】
2010190598.tif 000003
【図２】
2010190598.tif 000004
【図３】
2010190598.tif 000005
【図４】
2010190598.tif 000006
【図５】
2010190598.tif 000007